【手続補正書】
【提出日】平成22年12月15日(2010.12.15)
【手続補正１】
【補正対象書類名】特許請求の範囲
【補正対象項目名】全文
【補正方法】変更
【補正の内容】
【特許請求の範囲】
【請求項１】
インクを吐出可能な複数のノズルが配列された第１および第２ノズル列を並列に配列した記録ヘッドを主走査方向に移動させながら前記第１および第２ノズル列のノズルからインクを吐出する記録走査と、前記主走査方向と交差する副走査方向に記録媒体を搬送する搬送動作と、を繰り返すことにより、前記記録媒体に画像を記録するインクジェット記録装置において、
１回の記録走査により記録可能な前記記録媒体上の記録領域に複数回の記録走査によって画像を記録するために、複数のマスクパターンを用いて、前記第１および第２ノズル列のそれぞれに対応する記録データを複数に分割する分割手段と、
前記分割された記録データに基づいて、前記第１および第２ノズル列のノズルからインクを吐出させる制御手段と、
を備え、
前記分割手段は、
同一の記録走査において用いられる前記複数のマスクパターンの内、前記第１ノズル列に対応する記録データを分割するために用いる第１のマスクパターンと、前記第２ノズル列に対応する記録データを分割するために用いる第２のマスクパターンと、を異ならせ、かつ
前記第１のマスクパターンと前記第２のマスクパターンの少なくとも一方を、前記第１および第２ノズル列の駆動条件に応じて、前記主走査方向に対応するラスター方向にずらして用いる
ことを特徴とするインクジェット記録装置。
【請求項２】
前記分割手段は、前記マスクパターンの読み出し位置をずらすことにより、前記第１のマスクパターンと前記第２のマスクパターンの少なくとも一方を前記ラスター方向にずらすことを特徴とする請求項１に記載のインクジェット記録装置。
【請求項３】
前記マスクパターンは所定サイズに設定されて、前記ラスター方向、および前記副走査方向に対応するカラム方向に繰り返し用いられることを特徴とする請求項１または２に記載のインクジェット記録装置。
【請求項４】
前記制御手段は、前記第１および第２ノズル列において複数のブロックに分けられたノズルを、前記ブロック毎に駆動することを特徴とする請求項１から３のいずれかに記載のインクジェット記録装置。
【請求項５】
前記第１および第２ノズル列において同じブロックに属するノズルは、同じドットマトリクスパターン領域内の画素を形成可能であることを特徴とする請求項４に記載のインクジェット記録装置。
【請求項６】
前記制御手段は、前記第１および第２ノズル列において同じブロックに属するノズルの駆動タイミングをずらすことを特徴とする請求項４または５に記載のインクジェット記録装置。
【請求項７】
前記第１および第２ノズル列の駆動条件は、前記主走査方向における前記第１および第２ノズル列の位置関係、または前記第１および第２ノズル列におけるノズルのインクの吐出特性の少なくとも１つに応じて異なることを特徴とする請求項１から６のいずれかに記載のインクジェット記録装置。
【請求項８】
前記第１および第２ノズル列には、同じインクを吐出可能なインクが配列されていることを特徴とする請求項１から７のいずれかに記載のインクジェット記録装置。
【請求項９】
前記記録ヘッドは、前記第１および第２ノズル列を含む複数のノズル列を有し、
前記複数のノズル列の内、少なくとも２つが前記第１および第２ノズル列の関係にある
ことを特徴とする請求項１から８のいずれかに記載のインクジェット記録装置。
【請求項１０】
インクを吐出可能な複数のノズルが配列された第１および第２ノズル列を並列に配列した記録ヘッドを記録媒体上の単位領域に対して複数回走査させるとともに、前記第１および第２ノズル列の複数のノズルを複数のブロックに分けて時分割駆動することにより、前記記録媒体に画像を記録するインクジェット記録装置において、
前記第１および第２ノズル列それぞれの前記単位領域に記録すべき記録データを複数のパターンを用いて複数回の走査に分割する分割手段と、
前記分割された記録データに基づいて、前記第１および第２ノズル列の複数のノズルからインクを吐出させる制御手段と、
を備え、
前記分割手段は、前記第１および第２ノズル列の同一ブロックに属するノズルのうち同時に駆動されるノズルの数が少なくなるように、前記走査の方向における前記第１および第２ノズル列のずれ量に応じて、前記第１および第２ノズル列それぞれの前記単位領域に記録すべき記録データの分割に用いる複数のパターンを変更する
ことを特徴とするインクジェット記録装置。
【請求項１１】
インクを吐出可能な複数のノズルが配列された第１および第２ノズル列を並列に配列した記録ヘッドを記録媒体上の単位領域に対して複数回走査させるとともに、前記第１および第２ノズル列の複数のノズルを複数のブロックに分けて時分割駆動することにより、前記記録媒体に画像を記録するインクジェット記録装置において、
前記第１および第２ノズル列それぞれの前記単位領域に記録すべき記録データを複数のパターンを用いて複数回の走査に分割する分割手段と、
前記分割された記録データに基づいて、前記第１および第２ノズル列の複数のノズルからインクを吐出させる制御手段と、
前記第１ノズル列の記録位置に対する前記第２ノズル列の記録位置の前記走査の方向における相対的なずれ量に応じて、前記第１ノズル列の記録位置を調整する調整手段と、
を備え、
前記調整手段により前記第１ノズル列と前記第２ノズル列の前記走査の方向における相対的な記録位置が調整された後に、前記分割手段は、前記第１および第２ノズル列の同一ブロックに属するノズルのうち同時に駆動されるノズルの数が少なくなるように、前記走査の方向におけるずれ量に応じて、前記第１および第２ノズル列それぞれの前記単位領域に記録すべき記録データの分割に用いる複数のパターンを変更する
ことを特徴とするインクジェット記録装置。
【請求項１２】
インクを吐出可能な複数のノズルが配列された第１および第２ノズル列を並列に配列した記録ヘッドを主走査方向に移動させながら前記第１および第２ノズル列のノズルからインクを吐出する記録走査と、前記主走査方向と交差する副走査方向に記録媒体を搬送する搬送動作と、を繰り返すことにより、前記記録媒体に画像を記録するインクジェット記録方法において、
１回の記録走査により記録可能な前記記録媒体上の記録領域に複数回の記録走査によって画像を記録するために、補完関係にある複数のマスクパターンを用いて、前記第１および第２ノズル列のそれぞれに対応する記録データを複数に分割する記録データ分割工程と、
前記分割された記録データに基づいて、前記第１および第２ノズル列のノズルからインクを吐出させる制御工程と、
を含み、
前記記録データ分割工程は、
同一の記録走査において用いられる前記複数のマスクパターンの内、前記第１ノズル列に対応する記録データを分割するために用いる第１のマスクパターンと、前記第２ノズル列に対応する記録データを分割するために用いる第２のマスクパターンと、を異ならせ、かつ
前記第１のマスクパターンと前記第２のマスクパターンの少なくとも一方を、前記第１および第２ノズル列の駆動条件に応じて、前記主走査方向に対応するラスター方向にずらして用いる
ことを特徴とするインクジェット記録方法。
【手続補正２】
【補正対象書類名】明細書
【補正対象項目名】００１１
【補正方法】変更
【補正の内容】
【００１１】
本発明のインクジェット記録装置は、インクを吐出可能な複数のノズルが配列された第１および第２ノズル列を並列に配列した記録ヘッドを主走査方向に移動させながら前記第１および第２ノズル列のノズルからインクを吐出する記録走査と、前記主走査方向と交差する副走査方向に記録媒体を搬送する搬送動作と、を繰り返すことにより、前記記録媒体に画像を記録するインクジェット記録装置において、１回の記録走査により記録可能な前記記録媒体上の記録領域に複数回の記録走査によって画像を記録するために、複数のマスクパターンを用いて、前記第１および第２ノズル列のそれぞれに対応する記録データを複数に分割する分割手段と、前記分割された記録データに基づいて、前記第１および第２ノズル列のノズルからインクを吐出させる制御手段と、を備え、前記分割手段は、同一の記録走査において用いられる前記複数のマスクパターンの内、前記第１ノズル列に対応する記録データを分割するために用いる第１のマスクパターンと、前記第２ノズル列に対応する記録データを分割するために用いる第２のマスクパターンと、を異ならせ、かつ前記第１のマスクパターンと前記第２のマスクパターンの少なくとも一方を、前記第１および第２ノズル列の駆動条件に応じて、前記主走査方向に対応するラスター方向にずらして用いることを特徴とする。
【手続補正３】
【補正対象書類名】明細書
【補正対象項目名】００１２
【補正方法】変更
【補正の内容】
【００１２】
本発明のインクジェット記録装置は、インクを吐出可能な複数のノズルが配列された第１および第２ノズル列を並列に配列した記録ヘッドを記録媒体上の単位領域に対して複数回走査させるとともに、前記第１および第２ノズル列の複数のノズルを複数のブロックに分けて時分割駆動することにより、前記記録媒体に画像を記録するインクジェット記録装置において、前記第１および第２ノズル列それぞれの前記単位領域に記録すべき記録データを複数のパターンを用いて複数回の走査に分割する分割手段と、前記分割された記録データに基づいて、前記第１および第２ノズル列の複数のノズルからインクを吐出させる制御手段と、を備え、前記分割手段は、前記第１および第２ノズル列の同一ブロックに属するノズルのうち同時に駆動されるノズルの数が少なくなるように、前記走査の方向における前記第１および第２ノズル列のずれ量に応じて、前記第１および第２ノズル列それぞれの前記単位領域に記録すべき記録データの分割に用いる複数のパターンを変更することを特徴とする。
【手続補正４】
【補正対象書類名】明細書
【補正対象項目名】００１３
【補正方法】変更
【補正の内容】
【００１３】
本発明のインクジェット記録装置は、インクを吐出可能な複数のノズルが配列された第１および第２ノズル列を並列に配列した記録ヘッドを記録媒体上の単位領域に対して複数回走査させるとともに、前記第１および第２ノズル列の複数のノズルを複数のブロックに分けて時分割駆動することにより、前記記録媒体に画像を記録するインクジェット記録装置において、前記第１および第２ノズル列それぞれの前記単位領域に記録すべき記録データを複数のパターンを用いて複数回の走査に分割する分割手段と、前記分割された記録データに基づいて、前記第１および第２ノズル列の複数のノズルからインクを吐出させる制御手段と、前記第１ノズル列の記録位置に対する前記第２ノズル列の記録位置の前記走査の方向における相対的なずれ量に応じて、前記第１ノズル列の記録位置を調整する調整手段と、を備え、前記調整手段により前記第１ノズル列と前記第２ノズル列の前記走査の方向における相対的な記録位置が調整された後に、前記分割手段は、前記第１および第２ノズル列の同一ブロックに属するノズルのうち同時に駆動されるノズルの数が少なくなるように、前記走査の方向におけるずれ量に応じて、前記第１および第２ノズル列それぞれの前記単位領域に記録すべき記録データの分割に用いる複数のパターンを変更することを特徴とする。
【手続補正５】
【補正対象書類名】明細書
【補正対象項目名】００１４
【補正方法】変更
【補正の内容】
【００１４】
本発明のインクジェット記録方法は、インクを吐出可能な複数のノズルが配列された第１および第２ノズル列を並列に配列した記録ヘッドを主走査方向に移動させながら前記第１および第２ノズル列のノズルからインクを吐出する記録走査と、前記主走査方向と交差する副走査方向に記録媒体を搬送する搬送動作と、を繰り返すことにより、前記記録媒体に画像を記録するインクジェット記録方法において、１回の記録走査により記録可能な前記記録媒体上の記録領域に複数回の記録走査によって画像を記録するために、補完関係にある複数のマスクパターンを用いて、前記第１および第２ノズル列のそれぞれに対応する記録データを複数に分割する記録データ分割工程と、前記分割された記録データに基づいて、前記第１および第２ノズル列のノズルからインクを吐出させる制御工程と、を含み、前記記録データ分割工程は、同一の記録走査において用いられる前記複数のマスクパターンの内、前記第１ノズル列に対応する記録データを分割するために用いる第１のマスクパターンと、前記第２ノズル列に対応する記録データを分割するために用いる第２のマスクパターンと、を異ならせ、かつ前記第１のマスクパターンと前記第２のマスクパターンの少なくとも一方を、前記第１および第２ノズル列の駆動条件に応じて、前記主走査方向に対応するラスター方向にずらして用いることを特徴とする。